(57)【要約】  グリセロリン脂質を用いた、正確で安定な免疫測定用試薬及びその安定化方法を提供する。  被測定物質が血中の抗体又は抗原であり、被測定物質が抗体である場合は抗原、抗原である場合は抗体との免疫反応により被測定物質を測定する試薬において、免疫反応の反応系にグリセロリン脂質及びポリビニルピロリドンを含有させることを特徴とする試薬。【特許請求の範囲】
【請求項１】
被測定物質が血中の抗体又は抗原であり、被測定物質が抗体である場合は抗原、抗原である場合は抗体との免疫反応により被測定物質を測定する試薬において、免疫反応の反応系にグリセロリン脂質及びポリビニルピロリドンを含有させることを特徴とする試薬。
【請求項２】
グリセロリン脂質が、ホスファチジン酸、ホスファチジルコリン、ホスファチジルグリセロール、ホスファチジルエタノールアミン及びホスファチジルセリンから選ばれる１種以上である請求項１記載の試薬。
【請求項３】
被測定物質が抗リン脂質抗体であり、リン脂質抗原との免疫反応により前記抗体を測定するものである請求項１又は２記載の試薬。
【請求項４】
リン脂質抗原が不溶性担体に担持されている請求項３記載の試薬。
【請求項５】
被測定物質である抗リン脂質抗体が、梅毒感染により血中に出現する抗梅毒リン脂質抗体である請求項３又は４記載の試薬。
【請求項６】
被測定物質である抗リン脂質抗体が、自己免疫疾患である抗リン脂質抗体症候群により血中に出現する抗リン脂質抗体である請求項３又は４記載の試薬。
【請求項７】
被測定物質が血中の抗体又は抗原であり、被測定物質が抗体である場合は抗原、抗原である場合は抗体との免疫反応により被測定物質を測定する方法において、免疫反応の反応系にグリセロリン脂質及びポリビニルピロリドンを含有させることを特徴とする測定方法。
【請求項８】
グリセロリン脂質が、ホスファチジン酸、ホスファチジルコリン、ホスファチジルグリセロール、ホスファチジルエタノールアミン及びホスファチジルセリンから選ばれる１種以上である請求項７記載の測定方法。
【請求項９】
被測定物質が抗リン脂質抗体であり、リン脂質抗原との免疫反応により前記抗体を測定するものである請求項７又は８記載の測定方法。
【請求項１０】
リン脂質抗原が不溶性担体に担持されている請求項９記載の測定方法。
【請求項１１】
被測定物質である抗リン脂質抗体が、梅毒感染により血中に出現する抗梅毒リン脂質抗体である請求項９又は１０記載の測定方法。
【請求項１２】
被測定物質である抗リン脂質抗体が、自己免疫疾患である抗リン脂質抗体症候群により血中に出現する抗リン脂質抗体である請求項９又は１０記載の測定方法。
【請求項１３】
グリセロリン脂質含有液にポリビニルピロリドンを含有させることを特徴とするグリセロリン脂質含有液の安定化方法。
【請求項１４】
ポリビニルピロリドンを有効成分とするグリセロリン脂質含有液におけるグリセロリン脂質含有液の安定化剤。
【発明の詳細な説明】
【技術分野】
【０００１】
本発明は、抗リン脂質抗体等の被測定物質の免疫測定試薬、及びこれに用いるグリセロリン脂質の安定化方法に関する。
【背景技術】
【０００２】
抗リン脂質抗体は、次の二つの疾患により生体内に産生される。一つは梅毒の病原体であるトレポネーマ・パリダム（Ｔｒｅｐｏｎｅｍａ  Ｐａｌｌｉｄｕｍ）に感染した場合であり、他の一つは自己免疫疾患である抗リン脂質抗体症候群が発症した場合である。
いずれの抗リン脂質抗体も、リン脂質であるカルジオリピンを主成分とする脂質抗原に対して産生された抗体であり、その診断に使用される検査試薬はカルジオリピンを含有している。【０００３】
現在、上記リン脂質を用いる梅毒の検査方法としては、炭素又はカオリン末を担体としたＶＤＲＬ（Ｖｅｎｅｒａｌ  Ｄｉｓｅａｓｅ  Ｒｅｓｅａｒｃｈ  Ｌａｂ．）法、ＲＰＲ（Ｒａｐｉｄ  Ｐｌａｓｍａ  Ｒｅａｇｉｎ）カードテスト法（非特許文献１）、ポリスチレン共重合体等から成るラテックスを担体とし、生化学自動分析機を用いて測定を行うラテックス凝集法（特許文献１）等が用いられている。【０００４】
一方、リン脂質抗体症候群の検査方法としては、ＥＬＩＳＡ法による測定（特許文献２）が行われている。
これら検査方法により測定される検体として血清、血漿、脳脊髄液等が用いられている。
【先行技術文献】
【特許文献】
【０００５】
【特許文献１】特開平７−１０３９８０号公報
【特許文献２】特開平６−１４８１９３号公報
【特許文献３】特開平１０−２８２０９６号公報
【非特許文献】
【０００６】
【非特許文献１】Ｐｕｂｌｉｃ  Ｈｅａｌｔｈ  Ｒｅｐｏｒｔｓ  Ｖｏｌ．７５（１９６０），９８５−９８８
【発明の概要】
【発明が解決しようとする課題】
【０００７】
一般的に、抗原抗体反応による免疫凝集反応を光学的に測定することにより、疾病の有無を診断する試薬は、検体中の妨害成分の影響を受け、測定値が不規則に低下してしまう場合がある。このような現象は、被測定物質を生理食塩水や緩衝液等の検体中の妨害成分の影響を受けない溶液に添加した場合と、血清及び血漿等の妨害成分が含有される場合に測定値が大きく異なってしまうことで明らかである。
この現象が起こることによる問題点としては、次の２点が挙げられる。
（１）検体中の抗体量又は抗原量が少ない場合、妨害成分の影響により免疫凝集反応が十分に起こらず、疾病に罹患しているにもかかわらず見逃す可能性がある。
（２）測定試薬の測定範囲以上の抗体量又は抗原量を含む検体の正確な抗体量又は抗原量を測定するには、生理食塩水又は血清等で該検体を希釈して、抗体量又は抗原量を測定範囲内にまで減量して測定し、その後希釈倍率を掛けて正確な抗体量又は抗原量を算出することが行われているが、生理食塩水には上記妨害成分が含有されていないため、検体に抗体を含まない血清で希釈した場合と、生理食塩水で希釈した場合の測定結果が乖離してしまい、正しい抗体量又は抗原量が測定できない。【０００８】
本発明者は、このような血清や血漿中の妨害成分を明らかにすべく検討した結果、当該妨害成分が内因性リポ蛋白質であることを見出した。さらに検討を続けたところ、免疫反応の反応系にグリセロリン脂質を含有せしめれば、当該内因性リポ蛋白質による測定値への影響を回避することができ、より正確に検体中の抗体又は抗原を測定可能になることを見出した。
通常、抗リン脂質抗体の測定にあたっては、増感剤として水溶性高分子が配合されるが、グリセロリン脂質を含有する試薬の場合には、一般に用いられるポリエチレングリコール等を配合すると長期保存安定性に問題が生じることが判明した。
従って、本発明の課題は、グリセロリン脂質を用いた、正確で安定な免疫測定用試薬及びその安定化方法を提供することにある。
【課題を解決するための手段】
【０００９】
そこで本発明は、グリセロリン脂質を用いた免疫測定用試薬の安定性と正確な測定値との両立を図るべく種々検討したところ、ポリエチレングリコール、プルラン、２−メタクリロイルオキシエチルホスホリルコリン含有ポリマー等の配合では解決できなかった長期保存安定性が、ポリビニルピロリドンの添加により顕著に改善され、かつ被測定物質の正確な測定が可能になることを見出し、本発明を完成した。【００１０】
すなわち、本発明は、以下の構成を有するものである。
（１）被測定物質が血中の抗体又は抗原であり、被測定物質が抗体である場合は抗原、抗原である場合は抗体との免疫反応により被測定物質を測定する試薬において、免疫反応の反応系にグリセロリン脂質及びポリビニルピロリドンを含有させることを特徴とする試薬。
（２）グリセロリン脂質が、ホスファチジン酸、ホスファチジルコリン、ホスファチジルグリセロール、ホスファチジルエタノールアミン及びホスファチジルセリンから選ばれる１種以上である（１）記載の試薬。
（３）被測定物質が抗リン脂質抗体であり、リン脂質抗原との免疫反応により前記抗体を測定するものである（１）又は（２）記載の試薬。
（４）リン脂質抗原が不溶性担体に担持されている（３）記載の試薬。
（５）被測定物質である抗リン脂質抗体が、梅毒感染により血中に出現する抗梅毒リン脂質抗体である（３）又は（４）記載の試薬。
（６）被測定物質である抗リン脂質抗体が、自己免疫疾患である抗リン脂質抗体症候群により血中に出現する抗リン脂質抗体である（３）又は（４）記載の試薬。
（７）被測定物質が血中の抗体又は抗原であり、被測定物質が抗体である場合は抗原、抗原である場合は抗体との免疫反応により被測定物質を測定する方法において、免疫反応の反応系にグリセロリン脂質及びポリビニルピロリドンを含有させることを特徴とする測定方法。
（８）グリセロリン脂質が、ホスファチジン酸、ホスファチジルコリン、ホスファチジルグリセロール、ホスファチジルエタノールアミン及びホスファチジルセリンから選ばれる１種以上である（７）記載の測定方法。
（９）被測定物質が抗リン脂質抗体であり、リン脂質抗原との免疫反応により前記抗体を測定するものである（７）又は（８）記載の測定方法。
（１０）リン脂質抗原が不溶性担体に担持されている（９）記載の測定方法。
（１１）被測定物質である抗リン脂質抗体が、梅毒感染により血中に出現する抗梅毒リン脂質抗体である（９）又は（１０）記載の測定方法。
（１２）被測定物質である抗リン脂質抗体が、自己免疫疾患である抗リン脂質抗体症候群により血中に出現する抗リン脂質抗体である（９）又は（１０）記載の測定方法。
（１３）グリセロリン脂質含有液にポリビニルピロリドンを含有させることを特徴とするグリセロリン脂質含有液の安定化方法。
（１４）ポリビニルピロリドンを有効成分とするグリセロリン脂質含有液におけるグリセロリン脂質含有液の安定化剤。
【発明の効果】
【００１１】
本発明によれば、免疫反応により被測定物質を測定するにあたり、免疫反応への内因性リポ蛋白質の影響回避し、かつ保存安定性が良好で長期間性能発揮可能な試薬が提供できる。
【図面の簡単な説明】
【００１２】
【図１】図１は検討１における比較参考例１の結果であり、反応系中にグリセロリン脂質を含有していない。
【図２】図２は検討１における参考例２の結果であり、反応系中に０．０６重量％の鶏卵黄由来ホスファチジルグリセロールを含有する場合の結果である。
【図３】図３は検討２における参考例１の結果であり、反応系中に０．１２重量％の鶏卵黄由来ホスファチジルグリセロールを含有する場合の結果である。
【図４】図４は検討２における参考例２の結果であり、反応系中に０．０６重量％の鶏卵黄由来ホスファチジルグリセロールを含有する場合の結果である。
【図５】図５は検討２における参考例３の結果であり、反応系中に０．０３重量％の鶏卵黄由来ホスファチジルグリセロールを含有する場合の結果である。
【図６】図６は検討２における参考例４の結果であり、反応系中に０．０３重量％の合成ホスファチジルグリセロールである１，２−ジミリストイル−ｓｎ−グリセロ−３−ホスホグリセロールナトリウム塩を含有する場合の結果である。
【図７】図７は検討２における参考例５の結果であり、反応系中に０．０６重量％の鶏卵黄由来ホスファチジルエタノールアミンを含有する場合の結果である。
【図８】図８は検討２における参考例６の結果であり、反応系中に０．０３重量％の合成ホスファチジルコリンである１，２−ジミリストイル−ｓｎ−グリセロ−３−ホスホコリンを含有する場合の結果である。
【図９】図９は検討２における参考例７の結果であり、反応系中に０．０３重量％の合成ホスファチジルコリンである１−パルミトイル−２−ステアロイル−ｓｎ−グリセロ−３−ホスホコリンを含有する場合の結果である。
【図１０】図１０は検討２における参考例８の結果であり、反応系中に鶏卵黄由来ホスファチジルグリセロールを０．０１５重量％及び鶏卵黄由来ホスファチジルエタノールアミンを０．０１５重量％含有する場合の結果である。
【図１１】図１１は検討２における比較参考例１の結果であり、反応系中にグリセロリン脂質を含有しない場合の結果である。
【図１２】図１２は実施例１の結果であり、検体希釈液に０．４３ｍｇ／ｍＬの鶏卵黄由来ホスファチジルグリセロールを含有し、かつ０．５重量％のポリビニルピロリドンを含有する場合の結果である。
【図１３】図１３は実施例２の結果であり、検体希釈液に０．５５ｍｇ／ｍＬの鶏卵黄由来ホスファチジルグリセロールを含有し、かつ０．５重量％のポリビニルピロリドンを含有する場合の結果である。
【図１４】図１４は実施例３の結果であり、検体希釈液に０．６４ｍｇ／ｍＬの鶏卵黄由来ホスファチジルグリセロールを含有し、かつ０．５重量％のポリビニルピロリドンを含有する場合の結果である。
【図１５】図１５は比較例１の結果であり、検体希釈液に０．４３ｍｇ／ｍＬの鶏卵黄由来ホスファチジルグリセロールを含有し、かつ０．８重量％のプルランを含有する場合の結果である。
【図１６】図１６は比較例２の結果であり、検体希釈液に０．４３ｍｇ／ｍＬの鶏卵黄由来ホスファチジルグリセロールを含有し、かつ０．５重量％のリピデュアを含有する場合の結果である。
【図１７】図１７は比較例３の結果であり、検体希釈液に０．４３ｍｇ／ｍＬの鶏卵黄由来ホスファチジルグリセロールを含有し、かつ０．６重量％のポリエチレングリコールを含有する場合の結果である。
【発明を実施するための形態】
【００１３】
本発明は、被測定物質が血中の抗体又は抗原であり、被測定物質が抗体である場合は抗原、抗原である場合は抗体との免疫反応により被測定物質を測定する試薬において、免疫反応の反応系にグリセロリン脂質及びポリビニルピロリドンを含有させることを特徴とする試薬、並びに当該試薬を用いる被測定物質の測定方法である。
【００１４】
本発明の試薬には、内因性リポ蛋白質の影響回避のためのグリセロリン脂質と、当該グリセロリン脂質含有液の保存安定性を向上させるポリビニルピロリドンを含有する。
【００１５】
上記グリセロリン脂質としては、ホスファチジン酸、ホスファチジルコリン、ホスファチジルグリセロール、ホスファチジルエタノールアミン、ホスファチジルセリン等が挙げられる。このうち、ホスファチジン酸、ホスファチジルコリン、ホスファチジルグリセロール、ホスファチジルセリンが好ましい。
添加するグリセロリン脂質の濃度は反応系に０．００５〜０．２０重量％含有させることが好ましい。より好ましくは０．０１５〜０．１２重量％であるが、測定に用いる検体量により添加量は適宜調節する必要があるため、これに限定されるわけではない。
また、グリセロリン脂質は、反応系に含有させればよく、検体希釈液に含有させてもよく、抗体や抗原の含有試薬に含有させてもよいが、内因性リポタンパク質の影響回避効果の点から、検体希釈液に含有させるのが好ましい。
【００１６】
上記ホスファチジン酸の由来は、動物又は植物を問わない。一般的には、ホスファチジン酸はホスファチジルコリンやホスファチジルグリセロールをホスホリパーゼＡ２により分解することにより得られる。
上記ホスファチジン酸に含まれる２つのアシル基の炭素数及び不飽和度については限定されない。一般的には、炭素数は１０〜１８、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジン酸は、異なった炭素数のアシル基を持つもの、及び異なった不飽和結合数のアシル基をもつものが組み合わされたものの混合物である。
上記ホスファチジン酸は化学的に合成されたものでもよい。実際に市販されているものとしては、１，２−ジミリストイル−ｓｎ−グリセロ−３−ホスファチジン酸ナトリウム塩、１，２−ジパルミトイル−ｓｎ−グリセロ−３−ホスファチジン酸ナトリウム塩、１，２−ジステアロイル−ｓｎ−グリセロ−３−ホスファチジン酸ナトリウム塩等がある。
【００１７】
上記ホスファチジルコリンの由来は、動物又は植物を問わない。よく用いられるものは、大豆、鶏卵黄より精製したものである。
上記ホスファチジルコリンに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジルコリンは、異なった炭素数のアシル基を持つもの、及び異なった不飽和結合数のアシル基をもつものが組み合わされたものの混合物である。
上記ホスファチジルコリンは化学的に合成されたものでもよい。実際に市販されているものとしては、１，２−ジデカノイル−ｓｎ−グリセロ−３−ホスホコリン、１，２−ジミリストイル−ｓｎ−グリセロ−３−ホスホコリン、１，２−ジパルミトイル−ｓｎ−グリセロ−３−ホスホコリン、１，２−ジステアロイル−ｓｎ−グリセロ−３−ホスホコリン、１，２−ジオレオイル−ｓｎ−グリセロ−３−ホスホコリン、１，２−ジリノレオイル−ｓｎ−グリセロ−３−ホスホコリン、１，２−ジエルコイル−ｓｎ−グリセロ−３−ホスホコリン、１−ミリストイル−２−パルミトイル−ｓｎ−グリセロ−３−ホスホコリン、１−ミリストイル−２−ステアロイル−ｓｎ−グリセロ−３−ホスホコリン、１−ミリストイル−２−オレオイル−ｓｎ−グリセロ−３−ホスホコリン、１−パルミトイル−２−オレオイル−ｓｎ−グリセロ−３−ホスホコリン、１−ステアロイル−２−オレオイル−ｓｎ−グリセロ−３−ホスホコリン、１−パルミトイル−２−ミリストイル−ｓｎ−グリセロ−３−ホスホコリン、１−パルミトイル−２−ステアロイル−ｓｎ−グリセロ−３−ホスホコリン等がある。
【００１８】
上記ホスファチジルグリセロールの由来は、動物又は植物を問わない。よく用いられるものは、大豆、鶏卵黄より精製したものである。
上記ホスファチジルグリセロールに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジルグリセロールは、異なった炭素数のアシル基を持つもの、及び異なった不飽和結合数のアシル基をもつものが組み合わされたものの混合物である。
上記ホスファチジルグリセロールは化学的に合成されたものでもよい。実際に市販されているものとしては、１，２−ジミリストイル−ｓｎ−グリセロ−３−ホスホグリセロールナトリウム塩、１，２−ジミリストイル−ｓｎ−グリセロ−３−ホスホグリセロールアンモニウム塩、１，２−ジパルミトイル−ｓｎ−グリセロ−３−ホスホグリセロールナトリウム塩、１，２−ジパルミトイル−ｓｎ−グリセロ−３−ホスホグリセロールアンモニウム塩、１，２−ジステアロイル−ｓｎ−グリセロ−３−ホスホグリセロールナトリウム塩、１，２−ジステアロイル−ｓｎ−グリセロ−３−ホスホグリセロールアンモニウム塩、１，２−ジオレオイル−ｓｎ−グリセロ−３−ホスホグリセロールナトリウム塩、１，２−ジエルコイル−ｓｎ−グリセロ−３−ホスホグリセロールナトリウム塩、１−パルミトイル−２−オレオイル−ｓｎ−グリセロ−３−ホスホグリセロールナトリウム塩等がある。
【００１９】
上記ホスファチジルエタノールアミンの由来は、動物又は植物を問わない。よく用いられるものは、大豆、鶏卵黄より精製したものである。
上記ホスファチジルエタノールアミンに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもかまわない。一般的に動物や植物であるホスファチジルエタノールアミンは、異なった炭素数のアシル基を持つもの、及び異なった不飽和結合数のアシル基をもつものが組み合わされたものの混合物である。
上記ホスファチジルエタノールアミンは化学的に合成されたものでもよい。実際に市販されているものとしては、１，２−ジミリストイル−ｓｎ−グリセロ−３−ホスホエタノールアミン、１，２−ジパルミトイル−ｓｎ−グリセロ−３−ホスホエタノールアミン、１，２−ジステアロイル−ｓｎ−グリセロ−３−ホスホエタノールアミン、１，２−ジリノレオイル−ｓｎ−グリセロ−３−ホスホエタノールアミン、１，２−ジエルコイル−ｓｎ−グリセロ−３−ホスホエタノールアミン等がある。
【００２０】
上記ホスファチジルセリンの由来は、動物又は植物を問わない。よく用いられるものは、大豆、鶏卵黄より精製したものである。
上記ホスファチジルセリンに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジルセリンは異なった炭素数のアシル基を持つもの、及び異なった不飽和結合数のアシル基をもつものが組み合わされたものの混合物である。
上記ホスファチジルセリンは化学的に合成されたものでもよい。実際に市販されているものとしては、１，２−ジミリストイル−ｓｎ−グリセロ−３−ホスホ−Ｌ−セリンナトリウム塩、１，２−ジパルミトイル−ｓｎ−グリセロ−３−ホスホ−Ｌ−セリンナトリウム塩、１，２−ジステアロイル−ｓｎ−グリセロ−３−ホスホ−Ｌ−セリンナトリウム塩、１，２−ジオレオイル−ｓｎ−グリセロ−３−ホスホ−Ｌ−セリンナトリウム塩等がある。
【００２１】
上記グリセロリン脂質は、反応系の緩衝液に溶解あるいは分散状態で存在させるのが好ましい。難溶であるものに関しては、超音波処理による分散あるいは溶解を行ってもよい。また、界面活性剤を添加することで溶解することもできる。
上記界面活性剤としては、一般的に脂質を可溶化できるものであれば使用することができるが、好ましくはスクロースモノラウレート等のショ糖脂肪酸エステル、リゾホスファチジルコリン、オクチルグルコシド、ドデシルマルトシド等のアルキルグリコシド、デキストラン硫酸等である。
【００２２】
本発明で使用するポリビニルピロリドンは、工業的に合成されている分子量１万から３６万程度のものが使用できるが、ポリビニルピロリドンの粘度の指標であるＫ価で３０以上のものが適しており、Ｋ価で６０以上のものがさらに適している。
ここでいうＫ価とはポリビニルピロリドンの場合、分子量の尺度として一般的に用いられる数値であり、具体的には、ポリビニルピロリドンの１重量％水溶液について、２５℃で毛細管粘度計により相対粘度を測定し、下記のフィケンチャーの粘度式：
【００２３】
【数１】
2011125871.tif 000002
【００２４】
（式中、ηｒｅｌは相対粘度、ｃは水溶液の濃度（ｇ／１００ｍＬ）、すなわち水溶液１００ｍＬ中に含有されるポリビニルピロリドンのｇ数、ｋ０はＫ価に関係する変数を表す）に代入して、得られたｋ０の値を１０００倍した数値である。Ｋ価が大きいほど、分子量が高いことを表す。
上記ポリビニルピロリドンの含有濃度は、特許文献３に記載のように、増感剤としての効果もあるため被測定物質により適宜決めることができる。保存安定性、増感効果の点から、一般的に反応系全液量に対して０．０５〜２重量％が適しており、０．１〜１．０重量％がさらに適している。
【００２５】
上記ポリビニルピロリドンは、グリセロリン脂質含有液の保存安定性を向上させるため、グリセロリン脂質含有液に含有させるのが好ましい。
【００２６】
免疫反応により測定される被測定物質が少量の場合、免疫凝集反応を増強することを目的として増感剤を含有させることが行われる。このような増感剤として公知の化合物としては、ポリエチレングリコール、プルラン、ポリアクリル酸、デキストラン硫酸、ポリビニルピロリドン、カルボキシメチルセルロース、２−メタクリロイルオキシエチルホスホリルコリンとメタクリル酸との共重合体等が知られている。しかし、これらの増感剤のうち、ポリビニルピロリドンに増感作用だけでなく、グリセロリン脂質含有液の保存安定化作用があることは全く予想外であった。
【００２７】
本発明における被測定物質は、血中の抗体又は抗原であればよく、特に限定されるわけではなく、公知のものが対象となる。代表的なものを例示すると、抗梅毒トレポネーマ抗体、抗リン脂質抗体、抗ＨＢｓ抗体、ＨＢｓ抗原、風疹抗体、インフルエンザウイルス抗原、アデノウイルス抗原、ロタウイルス抗原、ヘリコバクター・ピロリ抗原、抗ヘリコバクター・ピロリ抗体、ヒトＣ反応性蛋白質、ストレプトリジンＯ、前立腺特異抗原、癌胎児性抗原、αフェトプロテイン、イムノグロブリンＧ、イムノグロブリンＭ、イムノグロブリンＡ、イムノグロブリンＥ、インシュリン、リウマチ因子等の公知の被測定物質を挙げることができる。
このうち、内因性リポ蛋白質の影響が大きい、抗リン脂質抗体が好ましい。ここで抗リン脂質抗体としては、梅毒感染により血中に出現する抗梅毒リン脂質抗体、又は自己免疫疾患である抗リン脂質抗体症候群により血中に出現する抗リン脂質抗体が挙げられる。
【００２８】
本発明方法及び測定試薬においては、被測定物質が抗体である場合には抗原と免疫反応させ、被測定物質が抗原の場合には抗体と免疫反応させる。従って、通常本発明の測定試薬には、被測定物質と免疫反応する抗原又は抗体が含まれる。当該抗原又は抗体としては、被測定物質が抗リン脂質抗体の場合にはリン脂質である。
【００２９】
上記リン脂質抗原として用いられるリン脂質としては、通常、カルジオリピン、ホスファチジルコリン、コレステロールの３種類が用いられるが、これら３種類が全て含まれている必要はなく、測定する疾患により選択される。自己免疫疾患である抗リン脂質抗体症候群の測定試薬の場合には、少なくともカルジオリピンが含まれていればよく、抗梅毒リン脂質抗体測定試薬の場合には、少なくともカルジオリピンとホスファチジルコリンが含まれていればよい。ホスファチジルコリンやコレステロールは、特異性の向上や感度の向上を目的として、カルジオリピンと混合して用いられることが多い。これらの好ましい混合比としては、重量比で、カルジオリピン：ホスファチジルコリン：コレステロール＝１：（３〜３０）：（０〜１０）程度、より好ましくは１：（３〜３０）：（０．５〜１０）程度であるが、これに限定されず、目的に応じて混合比は適宜選択される。
上記リン脂質は、動植物から得る方法と合成する方法があるが、目的に応じて適宜選択される。通常、カルジオリピンは、牛の心臓から抽出・精製したもの、ホスファチジルコリンは、卵黄から抽出・精製したもの、コレステロールは、羊毛より抽出したもの、及び合成したものが使用できる。また市販のものを使用してもよい。
【００３０】
上記リン脂質抗原等の抗原は、通常、適当な溶液中に分散させて使用される。該溶液としては特に限定されず、リン酸緩衝液、トリス塩酸緩衝液、グリシン緩衝液等が挙げられる。分散させる方法としては、不溶性担体に担持させて分散させる方法とリポソームを形成させて分散させる方法がある。
【００３１】
前記不溶性担体としては、従来より免疫学的凝集反応及び凝集阻止反応において、一般的に用いられている微粒子の担体を用いることができる。中でも、工業的に大量生産が可能な合成高分子からなるラテックスが好ましい。上記合成高分子としては、例えば、ポリスチレン、スチレン−スルホン酸共重合体、スチレン−メタクリル酸共重合体、アクリロニトリル−ブタジエン−スチレン共重合体、塩化ビニル−アクリル酸エステル共重合体、酢酸ビニル−アクリル酸エステル共重合体等が挙げられる。中でも、リン脂質の吸着性に優れ、生物学的活性を長期間安定に保持できる等の理由から、特にポリスチレン、スチレン−スルホン酸共重合体が特に好ましい。その他、動物の赤血球、細菌の細胞等の生物学的粒子；ベントナイト、コロジオン、コレステロール結晶、シリカ、カオリン、炭素末等の非生物学的粒子なども用いることができる。上記不溶性担体の平均粒径は、測定方法、測定機器によって異なるが、透過型電子顕微鏡装置による測定で０．１〜１．０μｍ、好ましくは０．１〜０．５μｍのものが通常用いられる。
【００３２】
上記不溶性担体に、上記リン脂質抗原を担持する方法としては特に限定されず、従来公知の方法により、物理的、及び／又は化学的結合により担持させる方法などが挙げられる。
上記不溶性担体に物理的にリン脂質抗原又は抗体を担持させる方法としては、例えば、エタノール等の適当な溶媒に溶解したリン脂質（リン脂質混合液）に適当な粒子径を有するラテックスを混合し攪拌し（感作工程）、一定時間経過後、タンパク質、糖、ペプチド等を含む溶液で処理し（ブロッキング工程）、適当な溶媒に分散させる方法があげられる。
上記ラテックスを分散させる溶媒としては、リン酸緩衝液、トリス塩酸緩衝液、グリシン緩衝液等が挙げられる。
【００３３】
これら検査方法により測定される検体としては、前記の被測定物質が含まれている可能性のある血液、血清、血漿、脳脊髄液等が用いられる。
【００３４】
測定方法としては、上記のようにして得られた試薬と検体中の抗リン脂質抗体等の被測定物質との免疫反応により生じる凝集の度合いを光学的に測定することにより、検体中の抗リン脂質抗体量等の被測定物質量を測定する。
上記凝集の度合いを光学的に測定する方法としては、公知の方法が用いられ、例えば、凝集の形成を濁度の増加としてとらえる比濁法、凝集の形成を粒度分布又は平均粒子径の変化としてとらえる方法、凝集の形成による前方散乱光の変化を積分球を用いて測定し透過光強度との比を比較する積分球光度濁度法等が挙げられる。上記の測定法において、異なる時点で少なくとも２つの測定値を得、これらの時点間における測定値の増加速度に基づき凝集の程度を求める速度試験（レートアッセイ）、あるいはある時点（通常は反応の終点と考えられる時点）で１つの測定値を得、この測定値に基づき凝集の程度を求める終点試験（エンドポイントアッセイ）を利用できる。測定の簡便性、迅速性の点から、比濁法による速度試験を行うことが好ましい。光学的に測定する方法において、散乱光強度、透過光強度、吸光度等を検出できる光学機器、特に汎用の自動分析機が使用できる。測定の波長は２５０〜１０００ｎｍが使用でき、好ましくは、５４０〜８００ｎｍである。
【００３５】
反応温度は、上記免疫反応が起こりうるものであれば特に限定されないが、恒温で１０〜５０℃の範囲内で行うのが好ましく、１０〜４０℃がより好ましい。反応時間は適宜決められる。
上記免疫反応を行う際の反応系の反応液としては、免疫反応が起こりうる生理的条件を満たす水溶液であれば特に限定されず、例えば、リン酸緩衝液、クエン酸緩衝液、グリシン緩衝液、トリス緩衝液、グッド緩衝液等が挙げられる。反応液のｐＨは、５．５〜８．５が好ましく、さらに好ましくは６．５〜８．０である。上記反応液には、さらに必要に応じて、牛血清アルブミン、ショ糖等の安定化剤、アジ化ナトリウム等の防腐剤、塩化ナトリウム等の塩濃度調整剤などを添加してもよい。
【００３６】
本発明によれば、グリセロリン脂質を含有する液にポリビニルピロリドンを含有させれば、グリセロリン脂質含有液が長期間安定となる。当該安定性は、加速試験により評価することができる。一般的に抗原又は抗体等の蛋白質や脂質等の生体由来物質を含有する試薬は、通常２〜１０℃で保存される。このような試薬の長期間の保存安定性を類推評価するために、２０〜４０℃で短期間保存後の性能評価を行う加速試験が繁用される。使用される温度としては３７℃で行う加速試験が一般的である。
【実施例】
【００３７】
本発明を実施例に基づき説明するが、本発明はこれに限定されるものではない。【００３８】
（参考例１）
１）脂質抗原液の作製
カルジオリピンのエタノール溶液（５ｍｇ／ｍＬ、シグマ社製）２ｍＬ、ホスファチジルコリン（ＣＯＡＴＳＯＭＥ  ＮＣ−５０、日油社製）のエタノール溶液（１０ｍｇ／ｍＬ）１０ｍＬ、コレステロール（ナカライテスク社製）のエタノール溶液（１０ｍｇ／ｍＬ）３ｍＬを混合し、脂質抗原液を作製した。【００３９】
２）ラテックス粒子の作製
攪拌機、還流用冷却器、温度検出器、窒素導入管及びジャケットを備えたガラス製反応容器（容量２Ｌ）に、蒸留水１１００ｇ、スチレン２００ｇ、スチレンスルホン酸ナトリウム０．２ｇ、及び、蒸留水５０ｇに過硫酸カリウム１．５ｇを溶解した水溶液を仕込み、容器内を窒素ガスで置換した後、７０℃で攪拌しながら４８時間重合した。
重合終了後、上記溶液をろ紙にてろ過処理し、ラテックス粒子を取り出した。得られたラテックス粒子の粒子径を透過型電子顕微鏡装置（日本電子社製、「ＪＥＭ−１０１０型」）を用いて１００００倍の倍率でラテックス粒子を撮影し、最低１００個以上の粒子について画像解析することにより平均粒子径を測定した。このようにして平均粒子径：０．４０μｍのラテックスＡが得られた。【００４０】
３）脂質抗原感作ラテックス試薬の作製
上記２）で作製したラテックスＡ（固形分１０重量％）１００μＬを、あらかじめ緩やかに攪拌しながら３７℃に保った。これに、上記脂質抗原液３３０μＬを一気に添加し、そのまま３７℃で緩やかに２時間攪拌した。次いでウシ血清アルブミン（以下、ＢＳＡという）（フラクションＶ、ＲｅａｇｅｎｔＧｒａｄｅ、ミリポア社製）を１重量％含有する  １００ｍＭリン酸緩衝食塩水（１００ｍＭリン酸緩衝液（ｐＨ７．４）、ＮａＣｌ０．９重量％、（以下、ＰＢＳという））２ｍＬを一気に添加し、さらに３７℃で１時間攪拌した。これを遠心分離して上清を除き、沈殿したラテックスを再び１％ＢＳＡを含有するＰＢＳに懸濁した。この操作を繰り返し、最後に１重量％ＢＳＡ、７．５重量％塩化コリン、０．１４重量％ＥＤＴＡ・２Ｎａ、０．１重量％アジ化ナトリウムを含有する１００ｍＭリン酸緩衝液（ｐＨ７．４）（以下、ＰＢという）４ｍＬに懸濁してラテックス試薬を作製した。【００４１】
４）検体希釈液の作製
５０ｍＭリン酸緩衝液（ｐＨ７．４）にＢＳＡを１重量％、プルラン（分子量２０万、林原社製）を１．０重量％、アジ化ナトリウムを０．１重量％、鶏卵黄由来ホスファチジルグリセロール（ＣＯＡＴＳＯＭＥ  ＮＧ−５０ＬＳ、日油製）０．１７重量％になるように添加し、撹拌した後、氷冷下で、超音波破砕機により溶液が透明となるまで３０分間以上超音波処理（上記機器で、Ｐｏｗｅｒ２０％、０．２５インチマイクロチップ使用）を行うことにより、検体希釈液を作製した。【００４２】
（参考例２）
参考例１の４）検体希釈液の作製において、鶏卵黄由来ホスファチジルグリセロールの濃度を０．０８５重量％となるように添加した以外は同様に行った。【００４３】
（参考例３）
参考例１の４）検体希釈液の作製において、鶏卵黄由来ホスファチジルグリセロールの濃度を０．０４３重量％となるように添加した以外は同様に行った。【００４４】
（参考例４）
参考例１の４）検体希釈液の作製において、鶏卵黄由来ホスファチジルグリセロールの代わりに合成ホスファチジルグリセロールである１，２−ジミリストイル−ｓｎ−グリセロ−３−ホスホグリセロールナトリウム塩（ＣＯＡＴＳＯＭＥ  ＭＧ−４０４０、日油製）を０．０４３重量％となるように添加した以外は同様に行った。【００４５】
（参考例５）
参考例１の４）検体希釈液の作製において、鶏卵黄由来ホスファチジルグリセロールの代わりに鶏卵黄由来ホスファチジルエタノールアミン（ＣＯＡＴＳＯＭＥ  ＮＥ−５０、日油製）を０．０８５重量％となるように添加した以外は同様に行った。【００４６】
（参考例６）
参考例１の４）検体希釈液の作製において、鶏卵黄由来ホスファチジルグリセロールの代わりに合成ホスファチジルコリンである１，２−ジミリストイル−ｓｎ−グリセロ−３−ホスホコリン（ＣＯＡＴＳＯＭＥ  ＭＣ−４０４０、日油製）を０．０４３重量％、界面活性剤としてリゾホスファチジルコリン（ＣＯＡＴＳＯＭＥ  ＭＣ−４０Ｈ、日油製）を０．０１４重量％となるように添加した以外は同様に行った。【００４７】
（参考例７）
参考例１の４）検体希釈液の作製において、鶏卵黄由来ホスファチジルグリセロールの代わりに合成ホスファチジルコリンである１−パルミトイル−２−ステアロイル−ｓｎ−グリセロ−３−ホスホコリン（ＣＯＡＴＳＯＭＥ  ＭＣ−６０８０、日油製）を０．０４３重量％、界面活性剤としてリゾホスファチジルコリン（ＣＯＡＴＳＯＭＥ  ＭＣ−４０Ｈ、日油製）を０．０１４重量％となるように添加した以外は同様に行った。【００４８】
（参考例８）
参考例１の４）検体希釈液の作製において、鶏卵黄由来ホスファチジルグリセロールの濃度を０．０２１重量％及び鶏卵黄由来ホスファチジルエタノールアミンを０．０２１重量％となるように添加した以外は同様に行った。【００４９】
（比較参考例１）
参考例１の４）検体希釈液の作製において、グリセロリン脂質を未添加とした以外は同様に行った。【００５０】
以下、参考例１〜８及び比較参考例１〜２について検討を行った結果を示す。
（検討１）
１）内因性リポ蛋白質の分画
臭化カリウム密度勾配遠心法で高密度リポ蛋白質（以下、ＨＤＬという）を分画した。
５０ｍＬ超遠心チューブに１．２１ｇ／ｍＬの臭化カリウム溶液を１２ｍＬ分注する。これに１０ｍＬの梅毒陰性血清を臭化カリウム溶液と混ざらないようにゆっくりと分注し、積層する。次に精製水１２ｍＬを血清と同様に混ざらないようにゆっくりと分注し、積層する。
超遠心分離機にて４４０００ｒｐｍ、２０時間、４℃で遠心分離する。
注射針とテフロン（登録商標）チューブを接続したものを用意し、ペリスタポンプで溶液を吸引できるようにする。この注射針を超遠心分離後の超遠心チューブにゆっくりと底まで挿入し、ペリスタポンプにより、臭化カリウム密度勾配がかかった血清を吸い上げる。吸い上げた溶液は０．７ｍＬずつフラクションとして分種し、４３本のフラクションが得られた。
この４３本のフラクションのＨＤＬコレステロール濃度を測定すると、フラクションＮｏ．５〜１５の範囲でＨＤＬが存在することがわかった。ＨＤＬコレステロール濃度の最も高い領域である、フラクションＮｏ．９〜１３を一つにまとめ、臭化カリウムを除去するために生理食塩水（以下、生食という）で透析をした。透析後のＨＤＬコレステロール濃度をコレステスト（登録商標）Ｎ  ＨＤＬ（積水メディカル社製）で測定すると、４０ｍｇ／ｄＬであった。
以上の方法により、ＨＤＬ含有生食溶液を得ることができた。【００５１】
２）測定検体
１２０Ｒ．Ｕ．（Ｒ．Ｕ．は、梅毒陽性抗体価の単位で、１Ｒ．Ｕ．は、ＲＰＲカード法の１倍に相当し、１Ｒ．Ｕ．以上で梅毒陽性と診断する。国際標準品を測定した場合、１Ｒ．Ｕ．は、０．４ＩＵである。）の抗体価を持つ梅毒抗リン脂質抗体陽性検体を上記検討１の１）で得たＨＤＬ含有生食溶液、生食又は血清で段階的に希釈したものを調製した。【００５２】
３）凝集量の測定
凝集量の測定には日立７１８０形生化学自動分析装置を用いた。上記参考例２又は比較参考例１で作製した検体希釈液を１８０μＬと上記検討１の２）で作製した各検体２０μＬを上記自動分析装置のセル中で混合し、混合後５分間、３７度でインキュベートした。次に上記参考例１の３）で作製したラテックス試薬を６０μＬ添加し、混合後５分間、３７度でインキュベートした。測定波長７００ｎｍにおけるラテックス試薬添加直後の吸光度とラテックス試薬添加５分後の吸光度差（以下、結果では△Ａｂｓ×１００００で表記する）を自動分析装置で算出した。この吸光度差が、免疫反応により増加した凝集量となる。【００５３】
４）結果
結果を図１及び図２に示す。
図１及び図２から、比較参考例１においてＨＤＬ含有生食溶液では、血清の場合と同様に吸光度の低下が認められた。このことから、血清中のＨＤＬが妨害成分であり、吸光度低下の原因であると考えられた。それに対して、グリセロリン脂質を添加した参考例２においては、ＨＤＬ含有生食溶液や血清で希釈した場合においても、比較参考例１のような吸光度の低下が抑制され、ほぼ生食と同様の吸光度となった。以上のことから、参考例２で添加したグリセロリン脂質がＨＤＬによる妨害を抑制し、吸光度低下を抑制していることがわかった。【００５４】
（検討２）
１）測定検体
１２０Ｒ．Ｕ．の抗体価を持つ梅毒抗リン脂質抗体陽性検体を生食又は血清で段階的に希釈したものを調製した。
２）凝集量の測定
凝集量の測定には日立７１８０形生化学自動分析装置を用いた。上記参考例１〜８又は比較参考例１で作製した検体希釈液を１８０μＬと上記検討１の１）で作製した各検体２０μＬを上記自動分析装置のセル中で混合し、混合後５分間、３７度でインキュベートした。次に上記参考例１の１）で作製したラテックス試薬を６０μＬ添加し、混合後５分間、３７度でインキュベートした。測定波長７００ｎｍにおけるラテックス試薬添加直後の吸光度とラテックス試薬添加５分後の吸光度差（以下、結果では△Ａｂｓ×１００００で表記する）を自動分析装置で算出し、この吸光度差が、免疫反応により増加した凝集量となる。
結果を図３〜図１１に示す。
参考例１〜８のいずれにおいても比較参考例１よりも生食と血清の各抗体濃度における吸光度差が減少しており、各種グリセロリン脂質添加によって血清中の妨害成分による吸光度の低下を改善していることがわかった。【００５５】
（実施例１）
１）脂質抗原液の作製
参考例１の１）と同じ脂質抗原液を用いた。【００５６】
２）ラテックス粒子の作製
攪拌機、還流用冷却器、温度検出器、窒素導入管及びジャケットを備えたガラス製反応容器（容量２Ｌ）に、蒸留水１１００ｇ、スチレン２００ｇ、スチレンスルホン酸ナトリウム０．２ｇ、及び、蒸留水５０ｇに過硫酸カリウム１．５ｇを溶解した水溶液を仕込み、容器内を窒素ガスで置換した後、７０℃で攪拌しながら４８時間重合した。
重合終了後、上記溶液をろ紙にてろ過処理し、ラテックス粒子を取り出した。得られたラテックス粒子の粒子径を透過型電子顕微鏡装置（日本電子社製、「ＪＥＭ−１０１０型」）を用いて１００００倍の倍率でラテックス粒子を撮影し、最低１００個以上の粒子について画像解析することにより平均粒子径を測定した。このようにして平均粒子径：０．３８μｍのラテックスＢが得られた。【００５７】
３）脂質抗原感作ラテックス試薬の作製
参考例１の３）の脂質抗原感作ラテックスの作製において、ラテックスＡの代わりにラテックスＢを用いた以外は同様に行った。【００５８】
４）検体希釈液の作製
５０ｍＭリン酸緩衝液（ｐＨ７．４）にＢＳＡを１重量％、ポリビニルピロリドンＫ９０（ＢＡＳＦ社製）を０．５重量％、アジ化ナトリウムを０．１重量％、鶏卵黄由来ホスファチジルグリセロール（ＣＯＡＴＳＯＭＥ  ＮＧ−５０ＬＳ、日油製）０．４３ｍｇ／ｍＬになるように添加し、撹拌した後、超音波破砕機により溶液が透明となるまで３０分間以上超音波処理（上記機器で、Ｐｏｗｅｒ２０％、０．２５インチマイクロチップ使用）を行うことにより、検体希釈液を作製した。【００５９】
（実施例２）
実施例１の４）検体希釈液の作製において、鶏卵黄由来ホスファチジルグリセロールの濃度を０．５５ｍｇ／ｍＬとなるように添加した以外は同様に行った。【００６０】
（実施例３）
実施例１の４）検体希釈液の作製において、鶏卵黄由来ホスファチジルグリセロールの濃度を０．６４ｍｇ／ｍＬとなるように添加した以外は同様に行った。【００６１】
（比較例１）
実施例１の４）検体希釈液の作製において、ポリビニルピロリドンの代わりにプルラン（分子量２０万、林原製）を０．８重量％となるように添加した以外は同様に行った。【００６２】
（比較例２）
実施例１の４）検体希釈液の作製において、ポリビニルピロリドンの代わりにリピデュア（２−メタクリロイルオキシエチルホスホリルコリンとメタクリル酸との共重合体：分子量１００万、日油製  Ｌｉｐｉｄｕｒｅ−ＢＬ）を０．５重量％となるように添加した以外は同様に行った。【００６３】
（比較例３）
実施例１の４）検体希釈液の作製において、ポリビニルピロリドンの代わりにポリエチレングリコール（分子量７万、和光純薬工業製）を０．６重量％となるように添加した以外は同様に行った。【００６４】
以下、実施例１〜３及び比較例１〜３について検討を行った結果を示す。
１）３７℃加速試験
実施例１〜３及び比較例１〜３で作製した検体希釈液をボトルに入れ密栓し、３７℃のインキュベーターに入れて加速試験を行った。保存後３日後、７日後にインキュベータより取り出し、下記３）の凝集量の測定を行い、保存開始時（０日）、保存後３日後、及び保存後７日後の凝集量の変動（測定値の変化）を検討した。なお、ラテックス試薬は４℃に保存していたものを用いた。【００６５】
２）測定検体
５濃度（０Ｒ．Ｕ．、１Ｒ．Ｕ．、２Ｒ．Ｕ．、４Ｒ．Ｕ．、８Ｒ．Ｕ．）のＲＰＲ標準血清（積水メディカル株式会社製）を用いた。【００６６】
３）凝集量の測定
（検討１）の３）の凝集量の測定において、上記参考例２及び比較参考例１で作製した検体希釈液と検討１の２）で作製した各検体の代わりに上記１）３７℃で保存した実施例１〜３及び比較例１〜３で作製した検体希釈液を１８０μＬと上記２）各検体２０μＬを使用した以外は同様に行った。【００６７】
３）結果
結果を図１２〜図１７に示す。
実施例１〜３いずれにおいても３７℃保存７日後の各抗体濃度における凝集量（測定値）は０日に対して±１０％以内である。一方、比較例１〜３では、いずれにおいても３７℃保存７日後の各抗体濃度における凝集量（測定値）は０日に対して±１０％以上である。このことから、ポリビニルピロリドンは、他の増感剤を使用する場合よりも保存安定性が良好であることがわかる。
【産業上の利用可能性】
【００６８】
免疫反応により血中の被測定物質を測定する試薬であって内因性リポタンパク質の影響の回避するためにグリセロリン脂質を含有させる試薬において、保存安定性の低下を改善するためにポリビニルピロリドンを含有させることにより、保存安定性が良好で長期間性能発揮可能な試薬を提供することできる。
【図１】
2011125871.tif 000003
【図２】
2011125871.tif 000004
【図３】
2011125871.tif 000005
【図４】
2011125871.tif 000006
【図５】
2011125871.tif 000007
【図６】
2011125871.tif 000008
【図７】
2011125871.tif 000009
【図８】
2011125871.tif 000010
【図９】
2011125871.tif 000011
【図１０】
2011125871.tif 000012
【図１１】
2011125871.tif 000013
【図１２】
2011125871.tif 000014
【図１３】
2011125871.tif 000015
【図１４】
2011125871.tif 000016
【図１５】
2011125871.tif 000017
【図１６】
2011125871.tif 000018
【図１７】
2011125871.tif 000019
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
被測定物質が血中の抗体又は抗原であり、被測定物質が抗体である場合は抗原、抗原である場合は抗体との免疫反応により被測定物質を測定する試薬において、免疫反応の反応系に溶解又は分散状態のグリセロリン脂質、及びポリビニルピロリドンを含有させることを特徴とする試薬。
【請求項２】
溶解又は分散状態のグリセロリン脂質が、ホスファチジン酸、ホスファチジルコリン、ホスファチジルグリセロール、ホスファチジルエタノールアミン及びホスファチジルセリンから選ばれる１種以上である請求項１記載の試薬。
【請求項３】
被測定物質が抗リン脂質抗体であり、リン脂質抗原との免疫反応により前記抗体を測定するものである請求項１又は２記載の試薬。
【請求項４】
リン脂質抗原が不溶性担体に担持されている請求項３記載の試薬。
【請求項５】
被測定物質である抗リン脂質抗体が、梅毒感染により血中に出現する抗梅毒リン脂質抗体である請求項３又は４記載の試薬。
【請求項６】
被測定物質である抗リン脂質抗体が、自己免疫疾患である抗リン脂質抗体症候群により血中に出現する抗リン脂質抗体である請求項３又は４記載の試薬。
【請求項７】
被測定物質が血中の抗体又は抗原であり、被測定物質が抗体である場合は抗原、抗原である場合は抗体との免疫反応により被測定物質を測定する方法において、免疫反応の反応系に溶解又は分散状態のグリセロリン脂質、及びポリビニルピロリドンを含有させることを特徴とする測定方法。
【請求項８】
溶解又は分散状態のグリセロリン脂質が、ホスファチジン酸、ホスファチジルコリン、ホスファチジルグリセロール、ホスファチジルエタノールアミン及びホスファチジルセリンから選ばれる１種以上である請求項７記載の測定方法。
【請求項９】
被測定物質が抗リン脂質抗体であり、リン脂質抗原との免疫反応により前記抗体を測定するものである請求項７又は８記載の測定方法。
【請求項１０】
リン脂質抗原が不溶性担体に担持されている請求項９記載の測定方法。
【請求項１１】
被測定物質である抗リン脂質抗体が、梅毒感染により血中に出現する抗梅毒リン脂質抗体である請求項９又は１０記載の測定方法。
【請求項１２】
被測定物質である抗リン脂質抗体が、自己免疫疾患である抗リン脂質抗体症候群により血中に出現する抗リン脂質抗体である請求項９又は１０記載の測定方法。
【請求項１３】
溶解又は分散状態のグリセロリン脂質含有液にポリビニルピロリドンを含有させることを特徴とするグリセロリン脂質含有液の安定化方法。
【請求項１４】
ポリビニルピロリドンを有効成分とする、溶解又は分散状態のグリセロリン脂質含有液におけるグリセロリン脂質含有液の安定化剤。
【国際調査報告】
2011125871.tif 000020
2011125871.tif 000021
2011125871.tif 000022
2011125871.tif 000023